(57)【要約】【課題】衛生的で且つ飲料を飲み易い開封具付き蓋体を提供する。【解決手段】カップ状容器１に装着される開封具付き蓋体１０であって、天壁２２と飲料の飲み口を形成する飲み口壁２４とを備えた蓋本体部２０と、天壁２２にヒンジ部３４により連結され、初期位置から流出口２５を通って開封位置にまで回動可能な切刃部材３１と、切刃部材３１のヒンジ部３４を挟んだ反対側に一体に連結して設けられ、切刃部材３１を初期位置から開封位置に向けて回動させる操作片３２と、を備えた開封具３０とを有し、操作片３２が、切刃部材３１が開封位置となったときに飲み口壁２４の上端に係止される一対の係止部３２ａを備えるとともに飲み口壁２４に沿う位置における幅が流出口２５の幅よりも広い切欠き部３２ｂを備える開封具付き蓋体１０。【選択図】図１
2018122888.tif 000002
【特許請求の範囲】
【請求項１】
開口部がシール材により封止された飲料入りのカップ状容器に装着される開封具付き蓋体であって、
前記シール材を覆う天壁と、前記天壁から突出して設けられて該天壁に形成された流出口から流出する飲料の飲み口を形成する飲み口壁とを備えた蓋本体部と、
前記天壁にヒンジ部により連結され、初期位置から前記流出口を通って前記シール材を切断開封する開封位置にまで回動可能な切刃部材と、前記切刃部材の前記ヒンジ部を挟んだ反対側に一体に連結して設けられ、引上げ操作されることにより前記切刃部材を前記初期位置から前記開封位置に向けて回動させる操作片と、を備えた開封具とを有し、
前記操作片が、それぞれ前記切刃部材が前記開封位置となったときに前記飲み口壁の上端に係止される一対の係止部を備えるとともに、前記操作片の一対の前記係止部の間に、前記飲み口壁に沿う位置における幅が前記流出口の幅よりも広い切欠き部を備えることを特徴とする開封具付き蓋体。
【請求項２】
前記切刃部材が、前記初期位置において前記天壁から上方に向けて突出する支持板部と、前記支持板部の先端に設けられた切刃部とを有し、前記切刃部材が前記初期位置にあるときに、前記操作片が前記支持板部とは異なる角度で前記天壁から上方に向けて突出している、請求項１記載の開封具付き蓋体。
【請求項３】
前記天壁に、押下げ操作されることにより前記シール材に向けて弾性変形する弾性支持部と、前記弾性支持部に下向きに設けられ、前記弾性支持部が前記シール材に向けて所定量だけ弾性変形したときに前記シール材に突き刺さって該シール材に孔を開ける突刺し突起とが一体に設けられている、請求項１または２に記載の開封具付き蓋体。
【発明の詳細な説明】
【技術分野】
【０００１】
本発明は、開口部がシール材により封止された飲料入りのカップ状容器に装着される開封具付き蓋体に関する。
【背景技術】
【０００２】
コーヒーや紅茶、スープ等の容器から直接飲食する内容物（飲料）を収容するカップ状容器として、飲料を収容したカップ状容器の開口部をアルミ蒸着シートや所定のバリア特性を有する積層シート等のシール材により封止するようにしたものが知られている。
【０００３】
シール材により封止された飲料入りカップ状容器には、流通時等における破損等からシール材を保護するために、蓋体が装着されるのが一般的であるが、蓋体としては、単にシール材を覆って保護するだけでなく、開封具と飲み口（流出口）とを備え、蓋体を装着したまま開封具によりシール材を開封し、飲み口から飲料を飲むことができるようにしたものが知られている。例えば特許文献１の図１〜図４には、シール材を覆う天壁と飲料の飲み口を形成する飲み口壁とを備えた蓋本体部と、天壁にヒンジ部を介して回動自在に連結された切刃部材を備えた開封具とを有し、切刃部材を指でシール材の側に向けて押下げ操作することでシール材を切断開封することができるようにした開封具付き蓋体が記載されている。
【０００４】
しかし、上記構成の開封具付き蓋体では、シール材を開封するための指で押下げ操作された切刃部材がカップ状容器の中に押し込まれ、また、切刃部材の指が触れた部分が飲料の流路を構成することになるので、衛生上好ましくない。
【０００５】
そこで、例えば特許文献１の図５〜図８に示すように、切刃部材のヒンジを挟んだ反対側に操作片を一体に連結して設け、この操作片を引上げ操作することにより切刃部材を回動させてシール材を切断開封させるようにしたものが開発されている。この構成によれば、切刃部材に指を触れることなくシール材を開封することができるので、上記した衛生上の問題を解消することができる。
【先行技術文献】
【特許文献】
【０００６】
【特許文献１】特開２００４−１２３１５５号公報
【発明の概要】
【発明が解決しようとする課題】
【０００７】
しかし、特許文献１の図５〜図８に示す開封具付き蓋体では、操作片を引上げ操作してシール材を開封した後、操作片は飲み口の近傍に位置することになり、また、当該位置に保持されてはいないので、飲料を飲む際に操作片が邪魔になるという問題点があった。
【０００８】
本発明は、このような問題点を解決することを課題とするものであり、その目的は、衛生的で且つ飲料を飲み易い開封具付き蓋体を提供することにある。
【課題を解決するための手段】
【０００９】
本発明の開封具付き蓋体は、開口部がシール材により封止された飲料入りのカップ状容器に装着される開封具付き蓋体であって、前記シール材を覆う天壁と、前記天壁から突出して設けられて該天壁に形成された流出口から流出する飲料の飲み口を形成する飲み口壁とを備えた蓋本体部と、前記天壁にヒンジ部により連結され、初期位置から前記流出口を通って前記シール材を切断開封する開封位置にまで回動可能な切刃部材と、前記切刃部材の前記ヒンジ部を挟んだ反対側に一体に連結して設けられ、引上げ操作されることにより前記切刃部材を前記初期位置から前記開封位置に向けて回動させる操作片と、を備えた開封具とを有し、前記操作片が、それぞれ前記切刃部材が前記開封位置となったときに前記飲み口壁の上端に係止される一対の係止部を備えるとともに、前記操作片の一対の前記係止部の間に、前記飲み口壁に沿う位置における幅が前記流出口の幅よりも広い切欠き部を備えることを特徴とする。
【００１０】
本発明の開封具付き蓋体は、上記構成において、前記切刃部材が、前記初期位置において前記天壁から上方に向けて突出する支持板部と、前記支持板部の先端に設けられた切刃部とを有し、前記切刃部材が前記初期位置にあるときに、前記操作片が前記支持板部とは異なる角度で前記天壁から上方に向けて突出しているのが好ましい。
【００１１】
本発明の開封具付き蓋体は、上記構成において前記天壁に、押下げ操作されることにより前記シール材に向けて弾性変形する弾性支持部と、前記弾性支持部に下向きに設けられ、前記弾性支持部が前記シール材に向けて所定量だけ弾性変形したときに前記シール材に突き刺さって該シール材に孔を開ける突刺し突起とが一体に設けられているのが好ましい。
【発明の効果】
【００１２】
本発明によれば、衛生的で且つ飲料を飲み易い開封具付き蓋体を提供することができる。
【図面の簡単な説明】
【００１３】
【図１】本発明の一実施の形態である開封具付き蓋体の断面図である。
【図２】図１に示す開封具付き蓋体の平面図である。
【図３】図１に示す開封具付き蓋体の、開封具によってシール材を切断開封した状態の断面図である。
【図４】図３に示す状態の開封具付き蓋体の平面図である。
【図５】変形例のヒンジ部を備えた開封具付き蓋体の平面図である。
【発明を実施するための形態】
【００１４】
以下、図面を参照して、本発明をより具体的に例示説明する。
【００１５】
なお、本明細書、特許請求の範囲、要約書及び図面においては、「上」とは、図１に示すように開封具付き蓋体が装着されたカップ状容器が正立姿勢の状態における「上」を意味し、「下」は「上」の反対側を意味するものとする。
【００１６】
図１において符号１はカップ状容器を示す。図１中において２点鎖線で示すように、カップ状容器１は、開口部１ａから底部１ｂに向けて徐々に外径が小さくなる有底筒状に形成されており、その開口部１ａにはフランジ部１ｃが一体に設けられている。カップ状容器１の内部には、例えばコーヒーや紅茶、スープ等の容器から直接飲食する内容物（飲料）が収容されており、開口部１ａは、アルミ蒸着シートや所定のバリア特性を有する積層シート等のシール材２がフランジ部１ｃの上面に接着や熱溶着等の手段によって固定されることで封止されている。このような構成の飲料入りのカップ状容器１は、飲料を収容した状態で流通させることができるとともに、収容した飲料の味や風味を良好に維持することができる。
【００１７】
図示する場合では、カップ状容器１は、合成樹脂材料により形成された合成樹脂製とされているが、紙コップ等を採用することもできる。
【００１８】
本発明の一実施の形態である開封具付き蓋体１０はカップ状容器１に装着して使用されるものである。開封具付き蓋体１０は蓋本体部２０と開封具３０とを有し、これらが合成樹脂材料の射出成形により一体に形成された一体成形品となっている。
【００１９】
蓋本体部２０は装着筒壁２１と天壁２２とを備えている。装着筒壁２１はカップ状容器１のフランジ部１ｃの外径に対応した内径を有する円筒状に形成されており、その内周面には周方向に沿って延びる３の固定爪２１ａ（図１においては２つのみ示す）が一体に設けられている。装着筒壁２１をカップ状容器１のフランジ部１ｃの外側に嵌合させ、固定爪２１ａをフランジ部１ｃの下方に係止させることで、蓋本体部２０すなわち開封具付き蓋体１０をカップ状容器１に着脱自在に装着することができる。
【００２０】
なお、図１、図２に示すように、射出成形によって装着筒壁２１の内周面に固定爪２１ａを形成するために、天壁２２の外周縁側には固定爪２１ａに沿って３つの長孔２２ａが設けられている。
【００２１】
天壁２２は装着筒壁２１の上端に一体に連なっており、シール材２の少なくとも一部を上方から覆っている。天壁２２の下面の外周縁部分には一対の環状のシールリップ２３が同心状に設けられており、これらのシールリップ２３がシール材２の表面に弾性的に当接することにより、蓋本体部２０とカップ状容器１との間が液密にシールされて飲料の漏れ出しが防止されるようになっている。
【００２２】
天壁２２には飲み口壁２４が一体に設けられている。飲み口壁２４は、天壁２２から上方に向けて突出する壁状に形成され、周方向の所定の範囲（図１、図２の左側の部分）における天壁２２からの突出高さが他の部分よりも高くされている。そして、飲み口壁２４の当該高さの高い部分が、カップ状容器１から流出する飲料の飲み口を形成している。
【００２３】
天壁２２には、カップ状容器１から外部に飲料を流出させるための流出口２５が設けられている。流出口２５は天壁２２の一部を切り欠いた所定の幅を有する切欠き孔として形成されており、飲み口壁２４の飲み口を形成する部分に沿って開口している。したがって、カップ状容器１から流出した飲料は、流出口２５を通って飲み口壁２４の飲み口を構成する部分にまで流れることができる。
【００２４】
開封具３０は、カップ状容器１のシール材２を開封するためのものである。この開封具３０は、切刃部材３１と操作片３２とを有している。
【００２５】
切刃部材３１は、略矩形形状の支持板部３１ａと、支持板部３１ａの先端に一体に設けられた切刃部３１ｂとを有している。支持板部３１ａは天壁２２から上方に向けて突出するように垂直配置されており、その下端部には支持板部３１ａに対して垂直（天壁２２に平行）な方向に延びる板状の連結部３３が一体に設けられている。連結部３３の両側部にはヒンジ部３４が設けられており、切刃部材３１はこれらのヒンジ部３４により天壁２２に連結されている。切刃部３１ｂは先端が鋭角な三角形状に形成され、支持板部３１ａに対して直交する方向に突出して設けられている。なお、符号３１ｃは切刃部３１ｂを支持するリブである。切刃部材３１は、ヒンジ部３４を中心として回動自在となっており、図１、図２に示す初期位置から、流出口２５を通って、図３、図４に示す開封位置にまで回動することができる。切刃部材３１が開封位置にまで回動することにより、切刃部３１ｂによってシール材２を切断開封して、シール材２に飲料を外部に流出させる流出孔を形成することができる。
【００２６】
操作片３２は、切刃部材３１を回動させための操作を行う部分である。操作片３２は、先端側が双股に分かれた板状に形成され、切刃部材３１の支持板部３１ａとは異なる角度（図示する場合では、上方に向かうにつれて徐々に支持板部３１ａないし流出口２５から離れるような角度）で天壁２２から斜め上方に向けて突出している。なお、切刃部材３１が初期位置にあるときには、切刃部材３１の上端と操作片３２の上端は、何れも、飲み口壁２４の上端よりも低い位置にある。操作片３２の先端側には一対の係止部３２ａが設けられ、これらの係止部３２ａの間は半円形状の切欠き部３２ｂとなっている。なお、切欠き部３２ｂは、半円形状に限らず、例えば矩形形状等とすることもできる。操作片３２は、基端側において切刃部材３１のヒンジ部３４を挟んだ反対側に連結部３３を介して一体に連結されており、切刃部材３１と一体に回動することができるようになっている。したがって、使用者は、操作片３２を引き上げ操作することにより、切刃部材３１を初期位置から開封位置にまで回動させてシール材２を切断開封することができる。
【００２７】
一対の係止部３２ａは、それぞれ操作片３２に対して所定の角度で折れ曲がるとともに飲み口壁２４の湾曲形状に対応した曲率で湾曲する板状に形成されている。操作片３２が切刃部材３１とともに当該切刃部材３１を開封位置とする位置にまで回動すると、一対の係止部３２ａは飲み口壁２４の上端に係止される。このとき、一対の係止部３２ａは、例えば、操作片３２に対する角度が増加するように弾性変形した状態で飲み口壁２４の上端に強く当接し、飲み口壁２４の上端に固定された状態とされる。したがって、操作片３２により切刃部材３１を開封位置にまで回動させてシール材２を切断開封した後、一対の係止部３２ａを飲み口壁２４の上端に係止させることにより、操作片３２を当該開封位置に保持することができる。なお、一対の係止部３２ａは、弾性変形しない状態で飲み口壁２４の上端に係合する構成とすることもできる。
【００２８】
また、操作片３２の切欠き部３２ｂの一対の係止部３２ａの部分における幅は、流出口２５の飲み口壁２４に沿う部分の幅よりも広くなっている。すなわち、一対の係止部３２ａが飲み口壁２４の上端に係止されて操作片３２が切刃部材３１とともに開封位置に保持された状態において、飲み口壁２４に沿う位置における切欠き部３２ｂの幅は、流出口２５の飲み口壁２４に沿う部分の幅よりも広くなっている。したがって、切断開封されたカップ状容器１から流出口２５を通って飲み口壁２４に流出した飲料は、操作片３２に触れることなく外部に流出することができる。
【００２９】
天壁２２には、一対の立設壁２２ｂにより他の部分よりも段差状に高く設けられた凸壁部２２ｃが設けられている。凸壁部２２ｃの一対の立設壁２２ｂから円弧状の端面を有してせり出した部分は弾性支持部２２ｄとなっており、弾性支持部２２ｄの下面には下向きに突出する突刺し突起２６が一体に設けられている。弾性支持部２２ｄはカンチレバーとして機能するものであり、下方に向けて押下げ操作されることにより、シール材２に向けて弾性変形することができる。突刺し突起２６は尖った先端を有し、押下げ操作された弾性支持部２２ｄが下方に向けて所定量だけ弾性変形したときにシール材２に突き刺さって、シール材２に孔を開けることができる。
【００３０】
次に、このような構成の開封具付き蓋体１０によりカップ状容器１のシール材２を開封する手順について説明する。
【００３１】
図１、図２に示すように、流通時等においては、カップ状容器１の開口部１ａはシール材２により封止されており、開封具３０の切刃部材３１は初期位置となっている。なお、流通時等においては、開封具付き蓋体１０のさらに外側に、当該開封具付き蓋体１０を覆うオーバーキャップを装着するようにしてもよい。このようなオーバーキャップを装着することにより、流通時等において開封具付き蓋体１０が汚れることを防止して、開封具付き蓋体１０をより衛生的にすることができる。
【００３２】
開封具３０の操作片３２が引上げ操作されると、操作片３２とともに切刃部材３１が初期位置から開封位置に向けて回動する。そして、図３、図４に示すように、切刃部材３１が開封位置にまで達すると、切刃部３１ｂによりシール材２が切断開封され、当該シール材２に飲料を流出させる流出孔が形成される。したがって、飲み口壁２４に口を付けてカップ状容器１を傾けることで、カップ状容器１から流出口２５を通して飲み口壁２４に飲料を流出させ、飲料を飲むことができる。
【００３３】
このとき、切刃部材３１が開封位置にまで回動すると、操作片３２の一対の係止部３２ａが飲み口壁２４の上端に係止され、操作片３２は開封位置に保持されるので、飲料を飲む際に操作片３２が邪魔になることがない。したがって、この開封具付き蓋体１０を飲料の飲み易いものとすることができる。
【００３４】
また、開封位置に保持される操作片３２の一対の係止部３２ａの間に設けられる切欠き部３２ｂは、その飲み口壁２４に沿う位置における幅が流出口２５の飲み口壁２４に沿う位置における幅よりも広く形成されているので、操作片３２の引上げ操作時に指が触れた部分に、カップ状容器１から飲み口壁２４に流出する飲料が触れ難くすることができる。したがって、操作片３２の引き上げ操作時に指が触れた部分に飲料を触れさせることなく飲むことを可能として、この開封具付き蓋体１０をより衛生的なものとすることができる。
【００３５】
開封具付き蓋体１０が装着されたカップ状容器１を、シール材２を開封する前に、電子レンジ等の加熱機器により温める場合には、弾性支持部２２ｄを押下げ操作することによって、突刺し突起２６によりシール材２に圧力逃がし用の孔を開けることができる。このように、加熱の前に予めシール材２に圧力逃がし用の孔を開けておくことにより、加熱時に内圧が上昇してカップ状容器１が破裂することを防止することができる。
【００３６】
本発明は前記実施の形態に限定されるものではなく、その要旨を逸脱しない範囲で種々変更可能であることはいうまでもない。
【００３７】
例えば、前記実施の形態においては、支持板部３１ａの両側部に設けた一対のヒンジ部３４により切刃部材３１を天壁２２に回動自在に連結するようにしているが、これに限らず、切刃部材３１を天壁２２に対して回動自在に連結することができるものであれば、例えば図５に示すように、操作片３２の切刃部材３１との連結部分を挟んだ基端側の両側張出し部分と天壁２２との間に設けた薄膜状のヒンジ部３４により、切刃部材３１を天壁２２に回動自在に連結する構成とすることもできる。
【００３８】
また、切刃部材３１の形状は、上記形状に限らず、ヒンジ部３４を支点として回動してシール材２を切断開封することができるものであれば、他の形状としてもよい。
【００３９】
さらに、操作片３２の一対の係止部３２ａも、飲み口壁２４の上端に係止可能な構成であれば、その形状は種々変更可能である。
【符号の説明】
【００４０】
１    カップ状容器
１ａ  開口部
１ｂ  底部
１ｃ  フランジ部
２    シール材
１０    開封具付き蓋体
２０    蓋本体部
２１    装着筒壁
２１ａ  固定爪
２２    天壁
２２ａ  長孔
２２ｂ  立設壁
２２ｃ  凸壁部
２２ｄ  弾性支持部
２３    シールリップ
２４    飲み口壁
２５    流出口
２６    突刺し突起
３０    開封具
３１    切刃部材
３１ａ  支持板部
３１ｂ  切刃部
３１ｃ  リブ
３２    操作片
３２ａ  係止部
３２ｂ  切欠き部
３３    連結部
３４    ヒンジ部
【図１】
2018122888.tif 000003
【図２】
2018122888.tif 000004
【図３】
2018122888.tif 000005
【図４】
2018122888.tif 000006
【図５】
2018122888.tif 000007